(57)【要約】      （修正有）【課題】裏面から見て凹凸が少なく意匠的にすっきりしており、また、簡易にセットできるにもかかわらずしっかりとロックでき、また、任意の位置に必要なだけ取りつけることができる額縁における裏板固定具を提供する。【解決手段】額縁部とスペーサー部と展示物を固着している裏板部とからなる額縁体における裏板部を額縁部に嵌着する固定具であって、平板の両隅にスットパーを付けた略凹状になったスライド部４と、平板で中央部を広くした略凸状になった定着部３とからなり、固定具の凹状スライド部４の中央上部に定着部３を覆い被せて、摺動できるスライド部４が定着部３の間隙部を接触通過させて裏板部にスライドさせて、裏板面がスライド部４の一部の移着によって額縁部に固定できるようになっている。【選択図】図１
0003219998.tif 000002
【実用新案登録請求の範囲】
【請求項１】
額縁部とスペーサー部と展示物を固着している裏板部とからなる額縁体における裏板部を額縁部に嵌着するにおいて、平板の両隅にスットパーを付けた略凹状になったスライド部に、平板の中央部に前記スライド部を摺動できるように幅広い略凸状にして両端で額縁部のフレームに固着できるようになった定着部を覆い被せた固定具であって、前記固定具の凹状スライド部の中央上部に定着部を覆い被せて、スライド部が定着部の間隙部を摺動させて裏板部にスライドさせて、固定具のスライド部の一部を裏板面に移着によって額縁部に固定できるようになっていることを特徴とする額縁用ワンタッチ裏板固定具。
【請求項２】
平板の両隅にスットパーを付けた略凹状になったスライド部と、平板で中央部を広くした略凸状になった定着部とからなる固定具は、額縁本体の寸法、および額縁部の幅によって決まるが、額縁本体の大きさを縦５００〜２０００ｍｍ、横５００〜２０００ｍｍで、額縁部の縁幅を２０〜１００ｍｍである中堅以上の額縁体に使用されるもので、材料として厚さ２〜５ｍｍの樹脂製の平板であって、スライド部は幅３０〜６０ｍｍ、長さ２０〜５０ｍｍ、スットパー部の高さ５〜７ｍｍであり、定着部は幅１０〜２０ｍｍ、長さ５０〜１００ｍｍ、中央部の幅４０〜８０ｍｍ、空隙部の高さ２〜４ｍｍであることを特徴とする請求項１に記載の額縁用ワンタッチ裏板固定具。
【請求項３】
前記固定具は、額縁部と裏板部を持つ額縁で、額縁部の裏面と裏板の裏面と同一面になって、額縁部の裏面における上部と両側部のフレームに１００〜６００ｍｍ間隔に取り付けて、額縁部の裏面フレームの３〜１２箇所に前記固定具を固着されていることを特徴とする請求項１、又は請求項２に記載の額縁用ワンタッチ裏板固定具。
【考案の詳細な説明】
【技術分野】
【０００１】  本考案は、裏板部を額縁部に嵌着する中堅以上の大きさの額縁体に使用されるもので、樹脂製平板の両隅にスットパーを付けた略凹状になったスライド部と、平板で中央部を広くした略凸状になった定着部とからなる額縁用ワンタッチ裏板固定具に関するものである。
【背景技術】
【０００２】一般に額縁用裏板押え具は、合成樹脂や金属からなる板状であって、円形の固定片に楕円形の押え片を連設した形状である。取付けは、固定片を木ねじで額縁の裏面に回転可能に固定し、押え片を裏板部分側に出すわけであり、押え片を裏板部分側に出るように回転したときに裏板の正面側に提示物の保持ができるようにしている。【０００３】  しかしこのような額縁用裏板押え具は平面的な構造であるので、保持する展示物の厚みが薄い場合には裏板を押え付ける力は充分に働かない。つまり、裏板と額縁との間には若干ながら隙間があるので、裏板はずれやすいとともに、展示物も動いてしまう。また押え力が充分に働かないので、回転可能な額縁用裏板押え具は他との接触により容易に回転してしまい、裏板が不測に外れてしまうこともあった。【０００４】  逆に展示物の厚みが厚い場合には、裏板は額縁の裏面よりも盛り上がってしまい、もはや押えるのではなく当るだけの状態になってしまい。額縁用裏板押え具の押え片の変形は直接固定片に伝わり、固定片の緩みや脱落の原因にもなっていた。各辺に２個ずつなど、多く額縁用押え具を固定するようにしていた。（特許文献１参照）【０００５】  額縁においては内容物を止めるためにトンボと称される掛止片をフレームの裏側に軸止めする手段がとられるが、アルミ押出形材からなる額縁ではフレームに額内側に開口する凹溝を設け、弾性変形により嵌着する裏板固定具が使用される。額縁のフレームの凹溝に差し込む頭部片に後続する胴部片の両側に、裏板に立脚させる脚部片を股開き状に連設してなるもの、或いは板ばねを凹溝に差し込み得るようＶ字形に折り曲げるもの、その一片に凹溝の開口掛止片に引っ掛かる係合部を形成したものが提案されている（特許文献２参照〜特許文献４参照）。【０００６】  従来、額縁用裏板押え具は慣用的にトンボと称され、合成樹脂や金属片で形成された押し片で構成され、その基部を額縁のフレーム背面に木ネジで回転可能に固定されているものであった。しかし、前記せるような額縁用裏板押え具を用いて画材等を額縁に収納する操作は、一般的に作業がしづらく、また、近年になってネイルアートを施した女性にとっては、特に作業がしづらいものであった。【０００７】  このような作業性を改善するために、額縁のフレームに対して裏板押え具の基部を容易に取り付けられるような額縁の裏板押え具が創案されている。裏板押え片の基部を額縁の係止溝に嵌めこみ、押え片の回転や滑動を容易にするものであった。また額縁裏ボード押え金具をバネ材で一体成形し、Ｕ字状に形成した基部を額縁の溝に嵌着し、延長する押え部のバネ性で画材等を押えるものが提案されている（特許文献５〜６参照）。しかし、これらのものは、十分に目的を達成されていないのが現状である。
【先行技術文献】
【特許文献】
【０００８】
【特許文献１】実用新案登録第３０７１５５５号公報
【特許文献２】実用新案登録第２５５９８００号公報
【特許文献３】実公昭６１−２９３４６号公報
【特許文献４】実公昭６１−３５１０３号公報
【特許文献５】特開２００５−２５３５０２号公報
【特許文献６】実開平７−３０８２０号公報
【考案の概要】
【考案が解決しようとする課題】
【０００９】  この考案は、一般に裏板を固定する固定具については、操作上簡単であって、固定しやすいものが望まれている。さらに充分な押圧力が得られるとともに、使用する個数も少なくて済むような額縁用裏板押え具の提供を課題とする。
そのための手段は、額縁の内周縁に形成した段部の背面側に嵌め込んだ裏板を正面側に押え付ける額縁用裏板押え具であって、上記額縁の裏面に回転可能に固定する固定片と、該固定片から裏板部分側へ延びる押え片とを有する額縁用裏板固定具であることを目的とする。【００１０】  この考案は、上記のような実情に鑑みて、内容物をその厚みに対応して押さえ得るにもかかわらず、裏面から見て凹凸が少なく意匠的にすっきりしており、また、簡易にセットできるにもかかわらずしっかりとロックでき、また、任意の位置に適数、必要なだけ取りつけ得ることはもちろん、幅つまり横長が限定されることのない額縁における裏板固定具を提供することを課題とした。
【課題を解決するための手段】
【００１１】  額縁部とスペーサー部と展示物を固着している裏板部とからなる額縁体における裏板部を額縁部に嵌着するにおいて、平板の両隅にスットパーを付けた略凹状になったスライド部と、平板の中央部に前記スライド部を摺動できるように幅広い略凸状にして両端で額縁部のフレームに固着できるようになった定着部を覆い被せた固定具であって、前記固定具の凹状スライド部の中央上部に定着部を覆い被せて、摺動できるスライド部が定着部の間隙部を接触通過させて裏板部にスライドさせて、裏板面がスライド部の一部の移着によって額縁部に固定できるようになっている。【００１２】  平板の両隅にスットパーを付けた略凹状になったスライド部と、平板で中央部を広くした略凸状になった定着部とからなる固定具は、額縁本体の寸法、および額縁部の幅によって決まるが、額縁本体の大きさを縦５００〜３０００ｍｍ、横５００〜３０００ｍｍで、額縁部の幅を５０〜１００ｍｍである中堅以上の額縁体に使用されるもので、材料として厚さ２〜５ｍｍの樹脂製の平板であって、スライド部は幅３０〜６０ｍｍ、長さ３０〜５０ｍｍ、スットパー部の高さ５〜７ｍｍであり、定着部は幅１０〜２０ｍｍ、長さ５０〜１００ｍｍ、中央部の幅４０〜８０ｍｍ、空隙部の高さ２〜５ｍｍであり、額縁部の裏面と裏板の裏面と同一面になっている額縁部に固定具使用されている。【００１３】前記固定具は、額縁部と裏板部を持つ額縁で、額縁部の裏面と裏板の裏面と同一面になって、額縁部の裏面における上部と両側部のフレームに２００〜３００ｍｍ間隔に取り付けて、額縁部の裏面フレームの３〜１２箇所に前記固定具を固着されている。
【考案の効果】
【００１４】このため、額縁と裏板との間に隙間が少なくなり、額縁内の展示物をしっかりと保持できる。また取付ける額縁用裏板固定具の数個で使用ででき、使用に際しての作業が簡易迅速に行える。額縁用裏板固定では、額縁のフレーム裏面に基部を固定し、額縁本体の部から一体的に延長するので一定の押し圧力を有し、額縁の内側に収納される画材や裏板の任意の厚さに対応することができる。【００１５】この考案の額縁における裏板固定具によれば、内容物をその厚みに対応して押さえ得るにもかかわらず、板状またはそれに近い形状であって裏面から見て凹凸が少なく意匠的にすっきりしており、また、簡易にセットできるにもかかわらずしっかりとロックできるために、出展用の扱いに対しても外れる落ちることのない安心感が得られ、また、任意の位置に適数、必要なだけ取りつけ、内容物の大きさや重量に対して自由に数を選べることはもちろん、幅つまり横長が限定されることもなく、取り付けの多様性が得られるという優れた効果がある。
【図面の簡単な説明】
【００１６】
【図１】額縁用ワンタッチ裏板固定具の斜視図
【図２】額縁用ワンタッチ裏板固定具であるスライド部と定着部と分解図  Ａ：スライド部  Ｂ：定着部
【図３】額縁用ワンタッチ裏板固定具の部品（スライド部と定着部）の平面、側面による図  Ａ：スライド部の平面、Ｂ：スライド部の側面  Ｃ：スライド部の別側面  Ｄ：定着部の平面、Ｅ：定着部の側面、Ｆ：定着部の別側面
【図４】額縁用ワンタッチ裏板固定具を装着した額縁の作用状態図、Ａ：取り外し状態（ｂの裏板を取り外せる状態）  Ｂ：スライド部を移動させている  Ｃ：取り付状態（ｂの裏板は固定されている）
【図５】額縁用ワンタッチ裏板固定具を装着して裏板を固定した状態図、
【図６】額縁の構造図
【考案を実施するための形態】
【００１７】  以下、本考案の額縁の裏板固定の固定具の実施の形態を、図面に基づいて説明する。  図１〜図４を基にして、本考案の額縁の固定具の一実施例を示す。
【実施例１】
【００１８】図１に示すように、額縁部とスペーサー部と展示物を固着している裏板部とからなる額縁体における裏板部を額縁部に嵌着するにおいて、図２，３に示すように平板の両隅にスットパーを付けた略凹状になったスライド部と、平板で中央部を広くした略凸状になった定着部とからなる固定具であって、図４に示すように前記固定具の凹状スライド部の中央上部に定着部を覆い被せて、摺動できるスライド部が定着部の間隙部を接触通過させて裏板部にスライドさせて、裏板面がスライド部の一部の移着によって額縁部に固定できるようにしている。【００１９】  平板の両隅にスットパーを付けた略凹状になったスライド部と、平板で中央部を広くした略凸状になった定着部とからなる固定具は、額縁本体の寸法、および額縁部の幅によって決まるが、額縁本体の大きさを縦９５０ｍｍ、横９００ｍｍで、額縁部の縁幅を２２ｍｍである中堅以上の額縁体に使用されるもので、材料として厚さ３ｍｍの樹脂製の平板であって、スライド部は幅４８ｍｍ、長さ３０ｍｍ、スットパー部の高さ６ｍｍであり、定着部は幅１３ｍｍ、長さ７０ｍｍ、中央部の幅５０ｍｍ、空隙部の高さ３ｍｍでスライド部と定着部の隙間はほとんどないようにしている。また図４のように額縁部の裏面と裏板の裏面と同一面になっている額縁部の裏面の６箇所に前記固定具を固着した。これによって額縁に裏板を簡単に固定出来て、また裏板の取り外しも容易になった。
【実施例２】
【００２０】  実施例１と同様に透明アクリル樹脂によって額縁用ワンタッチ裏板固定具を製作した。特に額縁部とスペーサー部と展示物を固着している裏板部とからなる額縁体における裏板部を額縁部に嵌着するにおいて、平板の両隅にスットパーを付けた略凹状になったスライド部と、平板で中央部を広くした略凸状になった定着部とからなる固定具であって、前記固定具の凹状スライド部の中央上部に定着部を覆い被せて、摺動できるスライド部が定着部の間隙部を接触通過させて裏板部にスライドさせて、裏板面がスライド部の一部の移着によって額縁部に固定できるようにした。【００２１】  実施例１と同様に、平板の両隅にスットパーを付けた略凹状になったスライド部と、平板で中央部を広くした略凸状になった定着部とからなる固定具は、額縁本体の寸法、および額縁部の幅によって決まるが、額縁本体の大きさを縦５５５ｍｍ、横４４０ｍｍで、額縁部の幅を２４ｍｍである小堅の額縁体に使用されるもので、材料として厚さ３ｍｍの透明アクリル樹脂製の平板であって、スライド部は幅３８ｍｍ、長さ３０ｍｍ、スットパー部の高さ６ｍｍであり、定着部は幅１３ｍｍ、長さ６０ｍｍ、中央部の幅４０ｍｍ、空隙部の高さ２ｍｍであり、額縁部の裏面と裏板の裏面と同一面になっている額縁部の裏面の６９箇所に前記固定具を固着した。これによって額縁に裏板を簡単に固定出来て、また裏板の取り外しも容易になった。
【実施例３】
【００２２】  実施例１と同様に、額縁部とスペーサー部と展示物を固着している裏板部とからなる額縁体における裏板部を額縁部に嵌着するようにした。また平板の両隅にスットパーを付けた略凹状になったスライド部と、平板で中央部を広くした略凸状になった定着部とからなる固定具であった。【００２３】  実施例１と同様に平板の両隅にスットパーを付けた略凹状になったスライド部と、平板で中央部を広くした略凸状になった定着部とからなる固定具は、額縁本体の寸法、および額縁部の幅によって決まるが、額縁本体の大きさを縦１５００ｍｍ、横１１３０ｍｍで、額縁部の縁幅を２０ｍｍである大型額縁体に使用されるもので、材料として厚さ３ｍｍの樹脂製の平板であって、スライド部は幅４８ｍｍ、長さ３０ｍｍ、スットパー部の高さ６ｍｍであり、定着部は幅１３ｍｍ、長さ７０ｍｍ、中央部の幅５０ｍｍ、空隙部の高さ３ｍｍでスライド部と定着部の隙間はほとんどないようにしている。また図４のように額縁部の裏面と裏板の裏面と同一面になっている額縁部の裏面の６箇所に前記固定具を固着した。これによって額縁に裏板を簡単に固定出来て、また裏板の取り外しも容易になった。
【符号の説明】
【００２４】  １  額縁
２  固定具
３  定着部
４  スライド部
５  額縁部
６  裏板部
７  スペーサー部
８  透明アクリル樹脂
９  展示品
１０  額縁フレーム
１１  略凹状
１２  略凸状
【図１】
0003219998.tif 000003
【図２】
0003219998.tif 000004
【図３】
0003219998.tif 000005
【図４】
0003219998.tif 000006
【図５】
0003219998.tif 000007
【図６】
0003219998.tif 000008